(57)【要約】【課題】被検者にとって採血を行いやすい指採血装置を提供する。【解決手段】指採血装置１００は、筐体２０と、筐体２０に配置され、採血対象である被検者の手指が挿入される筒状の指挿入部１と、を備え、筐体２０の上部材２３は、前記採血が行われる方の手が置かれる手置き部２３ｂを有するとともに、穿刺針を上下に進退させるための孔が設けられ、採血対象である手指の指先が置かれる採血部２３ｃを有し、前後方向の縦断面と、手置き部２３ｂの表面と、の交線である第一交線が、上に凸の曲線状を呈している。【選択図】図１
2019047893.tif 000002
【特許請求の範囲】
【請求項１】
筐体と、
前記筐体に配置され、採血対象である被検者の手指が挿入される筒状の指挿入部と、を備え、
前記筐体の上部材は、
前記採血が行われる方の手が置かれる手置き部を有するとともに、
穿刺針を上下に進退させるための孔が設けられ、採血対象である前記手指の指先が置かれる採血部を有し、
前後方向の縦断面と、前記手置き部の表面と、の交線である第一交線が、上に凸の曲線状を呈していること
を特徴とする指採血装置。
【請求項２】
前記第一交線に含まれる各点の高さは、前記第一交線の頂点から後方に向かうにつれて低くなるとともに、前記頂点から前方に向かうにつれても低くなること
を特徴とする請求項１に記載の指採血装置。
【請求項３】
左右方向の縦断面と、前記手置き部の表面と、の交線である第二交線が、上に凸の曲線状を呈していること
を特徴とする請求項１に記載の指採血装置。
【請求項４】
前記採血部の表面は、前記被検者から見て、奥側に向かうにつれて斜め下向きに傾斜していること
を特徴とする請求項１に記載の指採血装置。
【請求項５】
前記採血部は、前記指先の腹の縁に沿うように盛り上がって形成される凸状部を有し、
前記凸状部は、前記手指の爪の先端を逃がす高さに形成されていること
を特徴とする請求項１に記載の指採血装置。
【請求項６】
前記指挿入部は、前記手指に隣り合う他の手指と接触する箇所が面取りされてなる面取部を有すること
を特徴とする請求項１に記載の指採血装置。
【請求項７】
前記指挿入部と一体形成され、前記指挿入部を支持する支持部を備え、
前記指挿入部及び前記支持部は、前後方向に移動可能であり、
被検者から見て、奥側に移動した前記指挿入部及び前記支持部を手前側に押し戻すように付勢する付勢部をさらに備えること
を特徴とする請求項１に記載の指採血装置。
【請求項８】
前記上部材の下側において、前記孔の付近に配置される受け皿部を備え、
前記支持部は、前後方向に移動に伴って自身が前記受け皿部に干渉しないようにするための凹部を有すること
を特徴とする請求項７に記載の指採血装置。
【請求項９】
前記指挿入部の内壁面に設置され、前記指挿入部に挿入された前記手指をガスの圧力で圧迫する袋状の圧迫部を備えること
を特徴とする請求項１に記載の指採血装置。
【請求項１０】
前記採血部に置かれた前記手指の指先を上から押圧する指押さえ部を備えること
を特徴とする請求項１に記載の指採血装置。
【請求項１１】
前記指押さえ部は、前記上部材に設置され、
前後方向において、前記指押さえ部と前記指挿入部との間に隙間が設けられていること
を特徴とする請求項１０に記載の指採血装置。
【請求項１２】
前記指押さえ部は、前記指挿入部と一体形成されており、
前記指押さえ部に設置され、前記指挿入部に挿入された前記手指の指先を上から圧迫する袋状の別の圧迫部を備えること
を特徴とする請求項１０に記載の指採血装置。
【請求項１３】
前記手指の採血を開始する際に押されるスタートボタンと、
前記手指の採血を中断する際に押される停止ボタンと、を備え、
前記スタートボタン及び前記停止ボタンは、前記筐体の所定箇所に設けられること
を特徴とする請求項１に記載の指採血装置。
【発明の詳細な説明】
【技術分野】
【０００１】
本発明は、採血を行う指採血装置に関する。
【背景技術】
【０００２】
被検者の手の指（手指）を針で穿刺した後、この指から採血する装置として、例えば、特許文献１に記載の技術が知られている。すなわち、特許文献１には、「容器部の下方に位置付けられ、圧力変動部による圧力が変動された後に採血対象を穿刺する穿刺部」を備える採血装置について記載されている。
【先行技術文献】
【特許文献】
【０００３】
【特許文献１】特開２０１７−６１８４号公報
【発明の概要】
【発明が解決しようとする課題】
【０００４】
特許文献１には、被検者の指先を採血装置に置いた状態で採血を行う構成が記載されているが、被検者の手の全体（手のひら、採血対象の指、採血対象の指以外の指）を採血装置に楽に置くための構成については記載されていない。すなわち、被検者の手に負担をかけずに、無理のない状態で採血を行うことが望まれるが、そのような構成について特許文献１には記載されていない。
【０００５】
そこで、本発明は、採血を行いやすい指採血装置を提供することを課題とする。
【課題を解決するための手段】
【０００６】
このような課題を解決するために、本発明は、筐体と、前記筐体に配置され、採血対象である被検者の手指が挿入される筒状の指挿入部と、を備え、前記筐体の上部材は、前記採血が行われる方の手が置かれる手置き部を有するとともに、穿刺針を上下に進退させるための孔が設けられ、採血対象である前記手指の指先が置かれる採血部を有し、前後方向の縦断面と、前記手置き部の表面と、の交線である第一交線が、上に凸の曲線状を呈していることを特徴とする。
【発明の効果】
【０００７】
本発明によれば、採血を行いやすい指採血装置を提供できる。
【図面の簡単な説明】
【０００８】
【図１】本発明の第１実施形態に係る指採血装置の斜視図である。
【図２】本発明の第１実施形態に係る指採血装置の平面図である。
【図３】本発明の第１実施形態に係る指採血装置が備える第二上部材の斜視図である。
【図４】本発明の第１実施形態に係る指採血装置から上部材を取り外した状態の斜視図である。
【図５】本発明の第１実施形態に係る指採血装置における図１のII-II線矢視断面図である。
【図６】本発明の第１実施形態に係る指採血装置が備えるカートリッジの分解斜視図である。
【図７】本発明の第１実施形態に係る指採血装置によって採血が行われている様子を示す斜視図である。
【図８】本発明の第１実施形態に係る指採血装置によって採血が行われている様子を示す縦断面図である。
【図９】本発明の第２実施形態に係る指採血装置の斜視図である。
【図１０】本発明の第３実施形態に係る指採血装置が備える筐体の上部材の斜視図である。
【図１１】本発明の第４実施形態に係る指採血装置に指が置かれた状態の側面図である。
【発明を実施するための形態】
【０００９】
≪第１実施形態≫
図１は、第１実施形態に係る指採血装置１００の斜視図である。なお、図１に示すように、前後・左右・上下を定義する。つまり、指採血装置１００に正対して、後記する指挿入部１に自身の指を挿入した被検者を基準として（図７参照）、前後・左右・上下を定義する。より具体的には、被験者に面する側を前とし、その反対側を後ろとする。
【００１０】
指採血装置１００は、被検者の手指（以下、単に「指」という）から採血する装置であり、血液検査等に用いられる。なお、指採血装置１００を用いた採血は、例えば、医療機関の採血室や薬局の他、被検者の自宅等で行うことも可能である。
【００１１】
図１に示すように、指採血装置１００は、筐体２０と、指挿入部１と、指押さえ部２と、スタートボタン３と、停止ボタン４（非常停止ボタンともいう）と、表示部５と、を備えている。
筐体２０は、後記するカートリッジ１７（図４参照）、空気ポンプ１１（図５参照）、回路基板（図示せず）等を収容するものであり、その外形は、概ね直方体状を呈している。すなわち、筐体２０は、前後・左右の壁が略一体で形成された側壁２１と、この側壁２１に繋がる底板２２（図５参照）とで構成される有底の箱体と、この箱体の上面の開口ｈ１（図４参照）を塞ぐ上部材２３と、を備えている。
【００１２】
図１に示すように、筐体２０の上部材２３は、平面視矩形状の第一上部材２３ｐと、この第一上部材２３ｐの前側（被検者側）に連なる平面視矩形状の第二上部材２３ｑと、を備えている。これらの第一上部材２３ｐ及び第二上部材２３ｑは、取外し可能になっている。
【００１３】
なお、次に説明するベース部２３ａや手置き部２３ｂは、第一上部材２３ｐ及び第二上部材２３ｑに亘って設けられている。また、後記する採血部２３ｃや指押さえ部２は、第一上部材２３ｐに設けられている。
【００１４】
上部材２３の形状の観点から考えると、この上部材２３は、ベース部２３ａと、手置き部２３ｂと、採血部２３ｃと、を備えている。
ベース部２３ａの表面は、滑らかな曲面状を呈している。より詳しく説明すると、ベース部２３ａの後部の表面は略水平であり、ベース部２３ａの前部の表面は、斜め下方に緩やかに傾斜している。つまり、前方に向かうにつれて、ベース部２３ａの表面の高さが徐々に低くなっている。なお、被検者の手が置かれる手置き部２３ｂや、採血が行われる採血部２３ｃについては後記する。
【００１５】
指挿入部１は、被検者の指（中指や人差し指等の任意の指）が挿入される円筒状（筒状）の部材であり、平面視において筐体２０の中央付近に配置されている。また、筐体２０が備える上部材２３の中央付近には、矩形状の開口ｈ５が設けられている。この開口ｈ５に貫挿された状態で、指挿入部１が手置き部２３ｂの上側に露出している。指挿入部１の中心軸線は、指採血装置１００の前後方向と同じ方向になっている。
【００１６】
なお、被検者が指挿入部１に指（例えば、中指）を入れ、さらに、手置き部２３ｂに手（他の指や手のひら）を置いた状態で、手が不自然な形にならないように、また、手に無駄な力を入れる必要がないように、指挿入部１の位置・高さ（上部材２３における前後左右の位置やベース部２３ａからの高さ）が適宜に設定されている。また、指挿入部１の内径は、一般的（平均的）な大人の指が指挿入部１に挿入された状態で、指挿入部１の内周面と指との間に所定の隙間ができる程度の大きさになっている。
【００１７】
指挿入部１は、この指挿入部１に挿入された指に隣り合う他の指と接触する箇所が面取りされてなる面取部１ａを有している。具体的には、指挿入部１の外周面の前端付近に面取部１ａが設けられている。例えば、被検者の中指が指挿入部１に挿入された場合、この中指に隣り合う人指し指や薬指の付け根付近に、指挿入部１の前端が当たることが多い。ここで、前記したように、指挿入部１が面取部１ａを有しているため、人指し指や薬指の付け根付近が指挿入部１に当たっても、被検者に痛みを感じるさせるおそれはほとんどない。これによって、被検者に負担を与えることなく、楽な状態で採血を行うことができる。
【００１８】
指押さえ部２は、採血部２３ｃに置かれた指の指先を上から押圧する部材であり、上部材２３において指挿入部１の後側に設置されている。つまり、前後方向において、指押さえ部２と指挿入部１との間には、所定の隙間Ｆ（図８参照）が設けられている。そして、被検者が指挿入部１に指を挿入すると、その指の一部が隙間Ｆから見えるようになっている。これによって、指の略全体が隠れる構成と比べて、採血中、被検者に安心感を与えることができる。なお、前記した「指先」とは、指の先端付近の部分である。また、詳細は後記するが、指押さえ部２は、指の前後方向の位置決めを行う役割も有している。
【００１９】
図１に示すように、指押さえ部２は、回動部２ａと、弾性体２ｂと、を備えている。回動部２ａは、被検者等によって回動される部材である。回動部２ａは、その外形が概ね直方体状を呈し、前端付近の下部が切り欠かれている。この切り欠かれた部分に、弾性体２ｂが設置されている。また、回動部２ａの後端付近の下部には、左右方向に延びるヒンジＨが設けられている。このヒンジＨを軸として、被検者等によって回動部２ａが回動される（図５の太矢印を参照）。
【００２０】
なお、回動部２ａが前方（被検者から見て手前側）に倒された状態（図１に示す状態）を維持するように、バネ（図示せず）で付勢してもよいし、これに代えて、磁石（図示せず）の吸引力を利用してもよい。
【００２１】
弾性体２ｂは、その弾性力によって被検者の指を上から押圧するための樹脂製部材であり、回動部２ａに設置されている。そして、回動部２ａがヒンジＨの軸周りに前方に倒された状態で、指挿入部１に挿入された指の指先が、弾性体２ｂによって適度に押圧されるようになっている（図７参照）。これによって、穿刺針Ｅ（図６参照）によって被検者の指先が穿刺された際、その指先が上方に動くことを抑制できる。したがって、指先の穿刺や、その後の採血を適切に行うことができる。
【００２２】
図１に示すスタートボタン３は、指の採血を開始する際、被検者等によって押されるボタンであり、筐体２０の所定箇所に設けられている。より詳しく説明すると、本実施形態では、ベース部２３ａの右後部に円形の孔ｈ３（図２参照）が形成され、この孔ｈ３にスタートボタン３が設けられている。
【００２３】
図１に示す停止ボタン４は、指の採血を中断する際、被検者等によって押されるボタンであり、筐体２０の所定箇所に設けられている。より詳しく説明すると、本実施形態では、ベース部２３ａの左後部に円形の別の孔ｈ４（図２参照）が形成され、この孔ｈ４に停止ボタン４が設けられている。
【００２４】
なお、手置き部２３ｂに被検者の手が置かれ、さらに、指挿入部１に指が挿入された状態で（図７参照）、同じ手の他の指が、スタートボタン３及び停止ボタン４の少なくとも一方にとどくようにしてもよいし、双方に指がとどくようにしてもよい。つまり、採血を行う方の手だけでスタートや停止の操作を行うことができるようにしてもよい。採血を行う方の手だけでボタン３，４の双方の操作をできるようにすることで、例えば、片手しか使えないような場合でも、被検者自身で採血を行うことができる。
【００２５】
また、手置き部２３ｂに被検者の手が置かれ、さらに、指挿入部１に指が挿入された状態で、同じ手の他の指が、スタートボタン３及び停止ボタン４の少なくとも一方にとどかないようにしてもよい。これによって、スタートボタン３及び停止ボタン４の誤操作を防止できる。
【００２６】
表示部５は、採血に関する所定の情報を表示するディスプレイであり、筐体２０の後壁に設置されている。例えば、被検者等によってスタートボタン３が押された場合、採血を開始する旨の情報が表示部５に表示される。また、採血中に停止ボタン４が押された場合、採血を中断する旨の情報を表示部５に表示される。その他、指の穿刺、採血、及び絆創膏の貼付け等の処置が順次に行われているとき、各処置が行われている旨や、残り時間等の情報が表示部５に表示される。
【００２７】
次に、被検者の手が置かれる手置き部２３ｂや、採血が行われる採血部２３ｃについて説明する。
図１に示す手置き部２３ｂは、採血が行われる方の手が置かれる部分であり（図７参照）、ベース部２３ａと一体形成されている。手置き部２３ｂは、ベース部２３ａから盛り上がるように形成され、ドーム状（円蓋状、球冠状）を呈している。手置き部２３ｂは、一般的（平均的）な大人の手の各指先が、この手置き部２３ｂから若干はみ出る程度の大きさに形成されている（図７参照）。
【００２８】
図２は、指採血装置１００の平面図である。
図２に示すように、手置き部２３ｂは、左右方向において上部材２３の中央付近に設けられるとともに、前後方向において上部材２３の中央よりもやや前側に設けられている。手置き部２３ｂとベース部２３ａとの間の境界線は、平面視において比較的円形に近い楕円状を呈している。
【００２９】
採血部２３ｃは、採血対象である指の指先が置かれる部分であり、手置き部２３ｂの後端付近に設けられている。図２に示すように、採血部２３ｃは、指置き部２３１ｃと、孔ｈ６と、凸状部２３２ｃと、を備えている。
【００３０】
指置き部２３１ｃは、指挿入部１に挿入された指の指先（例えば、中指の指先）が置かれる部分である。指置き部２３１ｃは、被検者の指先が置かれた場合に、この指先の腹が指置き部２３１ｃの表面に収まるように形成されている。つまり、指置き部２３１ｃの表面は、左右方向において湾曲しており、左右方向の中央に近づくにつれて、指置き部２３１ｃの表面の高さが低くなっている。これによって、被検者の指先の腹が指置き部２３１ｃにぴったりと収まるため、被検者に安心感（指の位置の安定感）を与えることができる。
【００３１】
また、指置き部２３１ｃの表面（つまり、採血部２３ｃの表面）は、被験者から見て、奥側に向かうにつれて斜め下向きに傾斜している。これによって、指挿入部１に挿入された指（図７に示す中指）と、ドーム状の手置き部２３ｂに置かれた他の指（図７に示す親指・人指し指・薬指・小指）と、の位置関係が、手に力を入れる必要がない自然な状態になる。
一般に、人が手に全く力を入れていなければ、手の各指は若干曲がった状態になる。前記したように、指置き部２３１ｃの表面が傾斜し、さらに、手置き部２３ｂがドーム状を呈している。これによって、被検者が手にほとんど力を入れていない自然な状態で、被検者の指先から採血できる。
【００３２】
また、採血部２３ｃが有する指置き部２３１ｃの中央付近には、穿刺針Ｅ（図６参照）を上下に進退させるための孔ｈ６が設けられている。この孔ｈ６を介して穿刺針Ｅが上方に移動することで、被検者の指先が穿刺されるようになっている。
【００３３】
凸状部２３２ｃは、被検者の指先が指置き部２３１ｃにフィットした状態において、この指先の前後・左右方向の位置ずれを抑制するものである。凸状部２３２ｃは、指置き部２３１ｃを取り囲むように、平面視で逆Ｕ字状の領域に設けられている。そして、凸状部２３２ｃは、指挿入部１に挿入された指の指先の腹の縁に沿うように盛り上がって形成されている。これによって、被検者の指の先端が凸状部２３２ｃに当てられた状態で、指の位置を安定させることができる。
【００３４】
また、凸状部２３２ｃは、指の爪の先端を逃がす高さに形成されている（図８参照）。これによって、指の爪の先端が凸状部２３２ｃに当たることなく、指置き部２３１ｃに指先がフィットした状態で採血を行うことができる。例えば、被検者の指の爪の長さが比較的長い場合であっても、凸状部２３２ｃによって、指先が適切に位置決めされる。また、凸状部２３２ｃは、指の爪の先端を逃がす高さに形成されているため、凸状部２３２ｃに爪が当たることがほとんどない。これによって、被検者の指（特に、爪の生えぎわ）に負担をかけない状態で採血を行うことができる。
次に、被検者の手が置かれる手置き部２３ｂの詳細について説明する。
【００３５】
図３は、指採血装置１００が備える第二上部材２３ｑの斜視図である。
第二上部材２３ｑは、前記したように、ベース部２３ａと、手置き部２３ｂと、を備えている。手置き部２３ｂの後部には、平面視でＵ字状に切り欠かれてなる切欠ｈ７が形成されている。そして、切欠ｈ７及び第一上部材２３ｐ（図２参照）の前端面によって、平面視矩形状の開口ｈ５（図２参照）が形成される。
【００３６】
また、前後方向の縦断面Ｐａと、手置き部２３ｂの表面と、の交線である第一交線Ｌａが、上に凸の曲線状を呈している。言い換えると、指挿入部１（図１参照）に自身の指を挿入した被検者から見て前後・上下方向に平行な縦断面Ｐａと、手置き部２３ｂの表面と、の交線である第一交線Ｌａが、上に凸の曲線状を呈している。
【００３７】
例えば、被検者が手置き部２３ｂに手を置いていない状態で、被検者が自身の前方にかざした手に力を全く入れていなければ、手のひらや各指の腹は、通常、平面状ではなく、上に凸の曲面状になる。そして、被検者が手に力を入れていない状態で手置き部２３ｂに手を置くと、前記したように、第一交線Ｌａが上に凸の曲線状を呈しているため、前後・上下方向において手置き部２３ｂが手にぴったりとフィットする。つまり、被検者は、手に全く力を入れていない状態から、手の形をほとんど変えることなく、手置き部２３ｂに手を置くことができる。したがって、被検者にとって楽な状態で採血を行うことができる。
【００３８】
また、第一交線Ｌａに含まれる各点の高さは、第一交線Ｌａの頂点Ｔから後方に向かうにつれて低くなるとともに、頂点Ｔから前方（被検者側）に向かうにつれても低くなる。これによって採血を行う際、被検者が手首を無理に曲げたりする必要がなく、被検者にとって自然な状態で採血を行うことができる。
【００３９】
また、左右方向の縦断面Ｐｂと、手置き部２３ｂの表面と、の交線である第二交線Ｌｂが、上に凸の曲線状を呈している。言い換えると、指挿入部１に自身の指を挿入した被検者から見て左右・上下方向に平行な縦断面Ｐｂと、手置き部２３ｂの表面と、の交線である第二交線Ｌｂが、上に凸の曲線状を呈している。これによって、被検者が手に力を入れていない状態で手置き部２３ｂに手を置くと、前記したように、第二交線Ｌｂが上に凸の曲線状を呈しているため、前後・左右方向において手置き部２３ｂが手にぴったりとフィットする。したがって、被検者にとって楽な状態で採血を行うことができる。
【００４０】
図４は、指採血装置１００から上部材２３を取り外した状態の斜視図である。
指採血装置１００は、前記した各構成の他に、支持部６と、第一受け皿部７と、係合部８と、レール９と、カフ１０（図５参照）と、空気ポンプ１１（図５参照）と、チューブ１２と、を備えている。さらに、指採血装置１００は、バネ１３（付勢部:図５参照）と、仕切板１４と、第二受け皿部１５（受け皿部）と、脚板１６と、カートリッジ１７と、を備えている。
【００４１】
図４に示す支持部６は、指挿入部１を支持する部分であり、指挿入部１と一体形成されている。この支持部６は、縦断面視でＵ字状（向きを考慮すると、⊂字状）を呈している。そして、前後方向の所定範囲内（図１に示す開口ｈ５の前後方向の長さで規定される範囲内）において、指挿入部１及び支持部６が一体で移動可能になっている。これによって、例えば、指の長さが比較的短い被検者は、指挿入部１に通した指の付け根の股で指挿入部１を後方に押すことによって、採血部２３ｃに指先を置くことができる。
【００４２】
図４に示す例では、支持部６の後端面は、指挿入部１の後端面と略面一になっている。一方、支持部６の前端部には、前方に向けて斜め下方に傾斜する傾斜面ｋが設けられている。この傾斜面ｋには、後記するチューブ１２を設置するための溝が形成されている。
【００４３】
第一受け皿部７は、被検者の指が穿刺されて細かい血滴が飛んだ場合に、この血滴を受けるための皿であり、平面視で四角枠状を呈している。第一受け皿部７は、支持部６を取り囲むように設けられ、支持部６の下部と略一体になっている。
【００４４】
係合部８は、次に説明するレール９に係合される部材であり、レール９を介して前後方向に移動可能になっている。係合部８は、第一受け皿部７の下側に設置され、第一受け皿部７と略一体になっている。
レール９は、前後方向において係合部８等を案内するものである。レール９は、仕切板１４の上面に固定された状態で、係合部８に係合している。
【００４５】
図５は、指採血装置１００における図１のII-II線矢視断面図である。
なお、図５では、カートリッジ１７（図４参照）の図示を省略している。
図５に示すカフ１０は、指挿入部１に挿入された指を空気（ガス）の圧力で圧迫する袋状の「圧迫部」であり、指挿入部１の内周面（内壁面）に設置されている。カフ１０は、チューブ１２を介して空気ポンプ１１に接続されている。
【００４６】
図５に示す空気ポンプ１１は、チューブ１２を介してカフ１０に空気を供給するポンプであり、仕切板１４の下側に設置されている。空気ポンプ１１は、制御部（図示せず）からの指令に基づいて、空気圧を適宜に増減し、カフ１０を膨張又は収縮させるようになっている。
チューブ１２は、空気ポンプ１１及びカフ１０の一方から他方に空気を導く管である。
【００４７】
仕切板１４は、筐体２０内を上下方向で仕切る機能を有する他、レール９等を支持する機能も有している。図５に示す例において仕切板１４は、その後端部が支持壁Ｗに固定され、前端部が筐体２０の前壁に固定されている。また、仕切板１４には、チューブ１２が挿通される挿通孔ｈ８が形成されている。さらに、仕切板１４は、縦断面視で上側に延びるバネ設置部１４ａを有している。バネ設置部１４ａは、次に説明するバネ１３が設置される部分であり、仕切板１４に固定されたレール９の後側に配置されている。
【００４８】
バネ１３は、被検者から見て、奥側に移動した指挿入部１及び支持部６を手前側に押し戻すように付勢する「付勢部」であり、バネ設置部１４ａの前面に設置されている。図５に示す例では、バネ１３が、その弾性力によって係合部８を前方に付勢している。前記したように、指挿入部１、支持部６、第一受け皿部７、及び係合部８は、略一体になっている。したがって、係合部８の他、指挿入部１、支持部６、及び第一受け皿部７も、バネ１３によって前方に付勢されている。
【００４９】
例えば、被検者が指挿入部１に中指を挿入し（図７参照）、中指と人差し指との間の股や、中指と薬指との間の股で、バネ１３の付勢力に逆らって指挿入部１を後方に押したとする。そうすると、略一体である指挿入部１、支持部６、第一受け皿部７、及び係合部８がレール９に案内されて後方に移動する。これによって、被検者は、中指の指先を採血部２３ｃに適切に置くことができる。また、例えば、中指の第一関節と第二関節との間をカフ１０によって圧迫できる。
【００５０】
図４に示す第二受け皿部１５は、被検者の指に穿刺されて細かい血滴が飛んだ場合に、この血滴を受けるための皿である。第二受け皿部１５は、平面視で左右方向に細長い矩形状を呈し、その両端が筐体２０の左右の側壁２１に近接している。図４に示す例では、第二受け皿部１５は、第一上部材２３ｐと第二上部材２３ｑとの境界線（左右方向の境界線）の下側に設置されている。つまり、第二受け皿部１５は、上部材２３の下側において、採血部２３ｃの孔ｈ６の付近に配置されている。
【００５１】
また、縦断面視で⊂字状を呈する支持部６の凹部６ａに入り込むように、第二受け皿部１５が設置されている。言い換えると、支持部６は、前後方向に移動に伴って自身が第二受け皿部１５に干渉しないようにするための凹部６ａを有している。これによって、被検者が指挿入部１や支持部６を前後方向に移動させているとき、この支持部６が第二受け皿部１５に干渉することを防止できる。
【００５２】
脚板１６は、第二受け皿部１５を支持する板である。図４に示す例では、左右方向で所定間隔を空けて、４枚の脚板１６が第二受け皿部１５に設置されている。
次に、図４では簡略化して図示したカートリッジ１７について詳細に説明する。
【００５３】
図６は、指採血装置１００が備えるカートリッジ１７の分解斜視図である。
カートリッジ１７は、穿刺、採血、及び絆創膏の貼付けを順次に行うものであり、筐体２０内に設置されている。カートリッジ１７は、穿孔器ホルダ１７ａと、採血管ホルダ１７ｂと、絆創膏ホルダ１７ｃと、これらを収容するケース１７ｄと、を備えている。その他、ケース１７ｄを左右方向に移動させたり、各ホルダを上下方向に移動させたりするための駆動源（図示せず）が設けられている。
【００５４】
穿孔器ホルダ１７ａは、穿孔器１７１ａを有するホルダである。スタートボタン３（図２参照）が押された後、孔ｈ６（図２参照）の真下に移動した穿孔器ホルダ１７ａが駆動源（図示せず）によって上昇すると、穿孔器１７１ａの上端が指先の腹に押し付けられる。そして、穿孔器１７１ａに収容された穿刺針Ｅが一瞬飛び出して、指先の皮膚及び毛細血管を穿刺するようになっている。
【００５５】
採血管ホルダ１７ｂは、吸収パッド１７１ｂ及び採血管１７２ｂを有するホルダである。指先の穿刺後、孔ｈ６（図２参照）の真下に移動した採血管ホルダ１７ｂが駆動源（図示せず）によって上昇すると、吸収パッド１７１ｂが指先の腹に押し付けられる。これによって、採血管１７２ｂ内に血が滴り落ちるようになっている。
【００５６】
絆創膏ホルダ１７ｃは、絆創膏１７１ｃを有するホルダである。指先からの採血後、孔ｈ６（図２参照）の真下に移動した絆創膏ホルダ１７ｃが駆動源（図示せず）によって上昇すると、絆創膏ホルダ１７ｃの上端が指先の腹に押し付けられる。これによって、指先の穿刺された箇所に絆創膏１７１ｃが貼られるようになっている。
【００５７】
なお、穿孔器ホルダ１７ａ、採血管ホルダ１７ｂ、及び絆創膏ホルダ１７ｃは、採血を行うたびに取替可能にである。
次に、指採血装置１００の構成によって奏される効果を、採血の手順と併せて説明する。また、被検者が、自身の手の中指を指挿入部１に挿入する場合について説明するが、指挿入部１に他の指を挿入してもよい。
【００５８】
図７は、指採血装置１００によって採血が行われている様子を示す斜視図である。
なお、図７では、表示部５（図１参照）の図示を省略している。
採血を行う際、被検者は、手の中指を指挿入部１に挿入し、中指の指先を採血部２３ｃに置き、さらに、手の略全体を手置き部２３ｂに置く。そして、被検者は、指押さえ部２によって中指の指先が押圧されるように、指押さえ部２を手前側に回動させる。
【００５９】
前記したように、手置き部２３ｂはドーム状を呈し、また、採血部２３ｃの表面は、後方に向かって斜め下向きに傾斜している。したがって、被検者が指置き部２３１ｃに中指の指先を置き、さらに、手置き部２３ｂに手を置いた状態では、手のひらのや各指の腹の表面が、上に凸の曲面状になる。これによって、被検者は、手にほとんど力を入れていない楽な状態で採血を行うことができる。例えば、手に力を入れにくい老人が被検者であっても、手にほとんど力をいれず、各指が若干曲がった自然な状態で採血を行うことができる。また、指挿入部１は、面取部１ａを有しているため、中指に隣り合っている人指し指や薬指が指挿入部１に接触しても、この接触に伴う痛みを被検者が感じることはほとんどない。
【００６０】
図８は、指採血装置１００によって採血が行われている様子を示す縦断面図である。
前記したように、指挿入部１が有する凸状部２３２ｃは、指の爪の先端を逃がす高さに形成されている。したがって、指の爪の先端が凸状部２３２ｃに当たることなく、指置き部２３１ｃに指先がフィットした状態で採血を行うことができる。このように本実施形態によれば、被検者にとって採血を行いやすい指採血装置１００を提供できる。
【００６１】
そして、被検者等によってスタートボタン３（図２参照）が押されると、空気ポンプ１１が作動し、チューブ１２を介してカフ１０に空気が供給される。その結果、例えば、被検者の中指の第一関節と第二関節との間がカフ１０によって適度に圧迫される。そして、カートリッジ１７が左右方向に移動し、穿刺、採血、及び絆創膏１７１ｃ（図６参照）の貼付けが順次に行われる。
【００６２】
より詳しく説明すると、被検者の中指がカフ１０によって圧迫された状態で、穿刺針Ｅが孔ｈ６を介して上昇・下降し、指先の皮膚及び毛細血管が穿刺される。このとき、指挿入部１に挿入された中指の指先は、指押さえ部２によって上から押圧されている。これによって、指先の上方への移動が抑制されるため、指先の穿刺や、その後の採血を適切に行うことができる。ちなみに、穿刺直後は、指先において若干の血が出るが、この血は表面張力で指先に付いたままであることが多い。
【００６３】
穿刺後、カートリッジ１７が左右方向に移動し、さらに、吸収パッド１７１ｂ（図６参照）が指先の腹に押し付けられることで、採血管１７２ｂ（図６参照）内に血が滴り落ちる。なお、採血中、カフ１０によって中指を圧迫する力を適宜に増減させてもよい。
採血管１７２ｂに所定量の血液が溜まった後、カフ１０による中指の圧迫が解除される。なお、採血管１７２ｂに溜まった血液の量をセンサ（図示せず）やカメラ（図示せず）で検出してもよいし、また、採血の終了タイミングを採血時間に基づいて決定してもよい。採血後、カートリッジ１７が左右方向に移動し、さらに、絆創膏ホルダ１７ｃ（図６参照）が上昇することによって、採血箇所に絆創膏１７１ｃが貼られる。このようにして、採血に関する一連の処理が行われる。
【００６４】
≪第２実施形態≫
第２実施形態は、ベース部２３ａ（図９参照）と手置き部２３ｂ（図９参照）との間の境界線が、平面視において楕円形の前部を切り欠いた形状になっている点が、第１実施形態とは異なっている。なお、その他については第１実施形態と同様である。したがって、第１実施形態とは異なる部分について説明し、重複する部分については説明を省略する。
【００６５】
図９は、第２実施形態に係る指採血装置１００Ａの斜視図である。
図９に示すように、筐体２０Ａの上部材２３Ａは、ベース部２３ａと、手置き部２３ｂと、採血部２３ｃと、を備えている。そして、ベース部２３ａと手置き部２３ｂとの間の境界線が、平面視において楕円形の前部を切り欠いた形状になっている。このような構成によれば、指採血装置１００Ａの前後方向の幅が第１実施形態よりも短くなるため、指採血装置１００Ａのコンパクト化を図ることができる。
【００６６】
≪第３実施形態≫
第３実施形態は、ベース部２３ａ（図１０参照）と手置き部２３ｂ（図１０参照）との間の境界線が、平面視において楕円形の右部・左部を切り欠いた形状になっている点が、第１実施形態とは異なっている。また、第３実施形態は、指押さえ部２（図１参照）が省略されている点が、第１実施形態とは異なっている。なお、その他については第１実施形態と同様である。したがって、第１実施形態とは異なる部分について説明し、重複する部分については説明を省略する。
【００６７】
図１０は、第３実施形態に係る指採血装置１００Ｂが備える筐体の上部材２３Ｂの斜視図である。
なお、図１０では、第１実施形態で説明したスタートボタン３（図１参照）、停止ボタン４（図１参照）、及び表示部５（図１参照）の図示を省略している。
【００６８】
図１０に示すように、上部材２３Ｂは、ベース部２３ａと、手置き部２３ｂと、採血部２３ｃと、を備えている。また、ベース部２３ａと手置き部２３ｂとの間の境界線が、平面視において楕円形の右部・左部を切り欠いた形状になっている。このような構成によれば、被検者は、あたかもパソコン（図示せず）のマウスを持っている感覚で、採血を行うことができる。また、指採血装置１００Ｂの左右方向の幅が第１実施形態よりも短くなるため、指採血装置１００Ｂのコンパクト化を図ることができる。
【００６９】
≪第４実施形態≫
第４実施形態は、指挿入部１Ｃ（図１１参照）と指押さえ部２Ｃ（図１１参照）とが一体形成されている点が、第１実施形態とは異なっている。また、第４実施形態は、第一カフ１８（図１１参照）及び第二カフ１９（図１１参照）が設けられている点が、第１実施形態とは異なっている。なお、その他については第１実施形態と同様である。したがって、第１実施形態とは異なる部分について説明し、重複する部分については説明を省略する。
【００７０】
図１１は、第４実施形態に係る指採血装置に指が置かれた状態の側面図である。
なお、図１１では、採血部２３ｃ（図２参照）の図示を省略している。
図１１に示すように、指採血装置は、筐体２０Ｃ、指挿入部１Ｃ、指押さえ部２Ｃ、第一カフ１８、第二カフ１９等を備えている。
【００７１】
指押さえ部２Ｃは、指挿入部１Ｃと一体形成されている。すなわち、円筒状を呈する指挿入部１Ｃと、この指挿入部１Ｃに連なって、指挿入部１Ｃの上部から後前方に延びる指押さえ部２Ｃと、が一体形成されている。
【００７２】
第一カフ１８は、指において指挿入部１Ｃに囲まれた部分を圧迫する袋状の「圧迫部」であり、指挿入部１Ｃの内周面（内壁面）に設置されている。
第二カフ１９は、指挿入部１Ｃに挿入された指の指先を上から圧迫する袋状の「別の圧迫部」であり、指押さえ部２Ｃに設置されている。
【００７３】
これら第一カフ１８及び第二カフ１９の空気圧は、独立で調整可能になっている。そして、採血が行われる過程で、第一カフ１８及び第二カフ１９によって指が適宜に圧迫される。このような構成によれば、第１実施形態よりも指採血装置の部品点数を削減し、ひいては、製造コストを削減できる。
【００７４】
≪変形例≫
以上、本発明に係る指採血装置１００等について各実施形態により説明したが、本発明はこれらの記載に限定されるものではなく、種々の変更を行うことができる。
例えば、各実施形態では、指採血装置１００（図１参照）が備える指挿入部１が円筒状である構成について説明したが、これに限らず、「筒状」である他の形状であってもよい。
【００７５】
また、各実施形態では、バネ１３（図５参照）の付勢力によって、指挿入部１や支持部６等が前後方向に移動可能な構成について説明したが、これに限らない。すなわち、スタートボタン３等の操作に応じて、制御部（図示せず）が、指挿入部１や支持部６等を駆動源（図示せず）によって移動させるようにしてもよい。
また、各実施形態では、カフ１０に空気が供給される場合について説明したが、カフ１０に所定の「ガス」が供給されるようにしてもよい。
【００７６】
また、被検者が、採血対象である指に筒状の使い捨て指サック（図示せず）を付けるようにしてもよい。
また、表示部５の表示機能に加えて音声認識の機能も追加し、被検者の「スタート」等の声の認識結果に基づいて、指採血装置１００が採血を行うようにしてもよい。
また、指挿入部１に挿入された指の位置をセンサで検出し、その指の指先が採血部２３ｃに置かれたとき、採血が開始されるようにしてもよい。
【００７７】
また、第１実施形態（図１参照）及び第２実施形態（図９参照）では、指採血装置１００が指押さえ部２を備える構成について説明したが、指押さえ部２を省略してもよい。このような構成でも、円筒状の指挿入部１によって指の位置が固定されるため、採血を適切に行うことができる。
【００７８】
また、第３実施形態（図１０参照）では、指採血装置１００Ｂが指押さえ部２を備えない構成について説明したが、指押さえ部２を追加してもよい。
また、第４実施形態（図１１参照）では、指採血装置１００Ｃが、第一カフ１８及び第二カフ１９を備える構成について説明したが、これらを一体にしてもよい。
【００７９】
また、各実施形態を、適宜に組み合わせてもよい。例えば、第３実施形態と第４実施形態とを組み合わせてもよい。すなわち、指採血装置が、第３実施形態で説明した構成の筐体２０Ｂを備えるとともに、第４実施形態で説明した構成の指挿入部１Ｃや指押さえ部２Ｃ等を備えるようにしてもよい。
【００８０】
また、各実施形態は本発明を分かりやすく説明するために詳細に記載したものであり、必ずしも説明した全ての構成を備えるものに限定されない。また、実施形態の構成の一部について、他の構成の追加・削除・置換をすることが可能である。また、前記した機構や構成は説明上必要と考えられるものを示しており、製品上必ずしも全ての機構や構成を示しているとは限らない。
【符号の説明】
【００８１】
１００，１００Ａ，１００Ｂ，１００Ｃ  指採血装置
１，１Ｃ  指挿入部
１ａ    面取部
２，２Ｃ  指押さえ部
３      スタートボタン
４      停止ボタン
５      表示部
６      支持部
６ａ    凹部
７      第一受け皿部
８      係合部
９      レール
１０    カフ（圧迫部）
１１    空気ポンプ
１２    チューブ
１３    バネ（付勢部）
１４    仕切板
１４ａ  バネ設置部
１５    第二受け皿部（受け皿部）
１６    脚板
１７    カートリッジ
１８    第一カフ（圧迫部）
１９    第二カフ（別の圧迫部）
２０，２０Ａ，２０Ｂ，２０Ｃ  筐体
２３，２３Ａ，２３Ｂ  上部材
２３ａ  ベース部
２３ｂ  手置き部
２３ｃ  採血部
２３２ｃ  凸状部
Ｅ      穿刺針
Ｆ      隙間
Ｌａ    第一交線
Ｌｂ    第二交線
Ｐａ    縦断面（前後方向の縦断面）
Ｐｂ    縦断面（左右方向の縦断面）
Ｔ      頂点
ｈ６    孔
【図１】
2019047893.tif 000003
【図２】
2019047893.tif 000004
【図３】
2019047893.tif 000005
【図４】
2019047893.tif 000006
【図５】
2019047893.tif 000007
【図６】
2019047893.tif 000008
【図７】
2019047893.tif 000009
【図８】
2019047893.tif 000010
【図９】
2019047893.tif 000011
【図１０】
2019047893.tif 000012
【図１１】
2019047893.tif 000013